(57)【要約】      （修正有）【課題】収納しておくスペースが大きくならない寝具を提供すること。【解決手段】一面に加温層３と他面に消臭層２を備えた布団につき、折り畳んで収納部５内に収納して、長尺状にして抱き枕にできる。収納部５の袋布６は遠赤外線を発し、抱き枕は温かくなる。収納部５を消臭層２に反転させて布団１を折り畳むと加温層３が露出するほか収納部５の袋布６によって遠赤外線を発する。長尺状の布団１の一端または他端を袋状連結部１１に収納させて連結して環状にすると枕にできる。この枕は加温層３を露出させて加温したり、消臭層２を露出させて消臭したりできる。【選択図】図１
2018191750.tif 000002
【特許請求の範囲】
【請求項１】
人体の上に掛けられる、または人体の下に敷かれる布団と、
この布団の一方の面に取り付けられた、人体に対して加温作用のある素材からなる加温層と、
この加温層とは反対側で、上記布団の他方の面に取り付けられた、消臭作用のある素材からなる消臭層と、
上記布団の縁に沿って設けられ、袋状で、この袋状の中に折り畳んだ上記布団が収納される収納部とを備えた寝具。
【請求項２】
上記収納部は、上記布団の縁に沿って、布団の上記一方の面と他方の面との間で裏返したり戻したりすることができ、
上記加温層を表側にして折り畳んで収納部に収納できるし、上記収納部を裏返すまたは戻して、上記消臭層を表側にして折り畳んで収納部に収納できることを特徴とする請求項１記載の寝具。
【請求項３】
上記布団の折り畳み及び上記収納部への収納によって、上記布団は長尺状となり、抱き枕として使用可能であることを特徴とする請求項２記載の寝具。
【請求項４】
上記長尺状に折り畳まれた上記布団は、当該長尺状の一端とこの一端以外の端の他端とを連結する連結部を備え、この連結部の連結によって、上記布団は枕として使用可能であることを特徴とする請求項３記載の寝具。
【請求項５】
上記一端または他端は、上記長尺状に折り畳まれた上記布団の端から内側の位置にあることを特徴とする請求項４記載の寝具。
【請求項６】
上記連結部は、袋状または帯状で、この袋状または帯状の中に、上記長尺状の一端または他端が収納されることによって、上記折り畳まれた布団の一端と他端との連結が可能であり、
上記布団の収納部の開口部の開口方向と、上記折り畳まれた布団の一端と他端とを連結するための袋状または帯状の連結部の開口部の開口方向とは、ほぼ９０度ずれていることを特徴とする請求項４記載の寝具。
【発明の詳細な説明】
【技術分野】
【０００１】
本発明は、寝具、特に折り畳まれることによって、布団、抱き枕、枕等に変化する寝具に関する。
【背景技術】
【０００２】
寝具等には、敷布団、掛布団といった布団、枕、抱き枕など、種々多様なものが存在する。
【０００３】
【特許文献１】特開２０１６−０１６０３２号公報
【特許文献２】特開２０１０−２０７２９３号公報
【特許文献３】特開２００９−１０６３３１号公報
【発明の開示】
【発明が解決しようとする課題】
【０００４】
しかし、所望する寝具ごとに、１つ１つ揃えていたのでは、揃える寝具が多くなって、寝具を収納しておくスペースが大きくなっていた。
【課題を解決するための手段】
【０００５】
上記課題を解決するため、本発明では、布団の一方の面に取り付けられた、人体に対して加温作用のある素材からなる加温層と、この加温層とは反対側で、上記布団の他方の面に取り付けられた、消臭作用のある素材からなる消臭層と、上記布団の縁に沿って設けられ、袋状で、この袋状の中に折り畳んだ上記布団が収納される収納部とを備えた。
【発明の効果】
【０００６】
これにより、収納部に折り畳んだ布団を収納して、布団を長尺状にでき、抱き枕として使用できる。さらに、長尺状に折り畳まれた上記布団は、当該長尺状の一端とこの一端以外の端の他端とを連結する連結部の連結によって、上記布団は枕として使用できる。
【図面の簡単な説明】
【０００７】
【図１】布団１の断面を示す。
【図２】布団１の収納部５を示す。
【図３】布団１を抱き枕８に変化させた状態を示す。
【図４】布団１の袋状連結部１１を示す。
【図５】布団１を枕１４に変化させた状態を示す。
【符号の説明】
【０００８】
１…布団  ２…消臭層
３…加温層  ４…カバー布
５…収納部  ６…袋布
７…開口部  ８…抱き枕
９…面ファスナー
１１…袋状連結部（連結部）
１２…開口部  １４…枕
【発明を実施するための形態】
【０００９】
（１）布団１
本発明の寝具としては、抱き枕、枕、掛布団、敷布団、寝袋、毛布、マットレス、枕カバー、布団カバーなどが考えられる。布団１はキルティング加工されて、布団１の中の素材が偏らないようになっている。
【００１０】
図１の布団１は、長方形となっており、人体の上に掛けられる掛布団となっている。この布団１は積層構造となっており、布団１の上の面（一方の面）には、消臭層２が取り付けら、布団１の下の面の消臭層２とは反対側の面（他方の面）であって、人体に接する面には、加温層３が取り付けられている。
【００１１】
上記消臭層２の素材としては、光触媒の機能を有する素材、その他の消臭機能を有する素材からなり、この素材としては、例えば布、糸、繊維、綿などからなっている。光触媒の機能は、紫外線、可視光、赤外線、いずれによるものでもよく、太陽光のほか、蛍光灯、電球等の室内光によっても、光触媒機能を発揮する。
【００１２】
この光触媒機能によって、汗、皮脂などのタンパク質や、酢酸、イソ吉草酸、アンモニアなどの汗から生ずる臭い成分といった、有機汚染物質を分解して消臭する。光触媒機能を発揮する物質は、ナノレベルの微粒子であり、消臭層２の布素材の風合い、色相に変化は生じず、洗濯によっても劣化しない。
【００１３】
消臭層２の素材には、紫外線カット効果があり、紫外線から人体、素肌を守る。消臭層２の素材には、抗菌作用があり、上記布団１、夜具などの衣服、素肌を清潔に保つ。この消臭層２の素材としては、例えば、Ｖ−ＣＡＴ（登録商標）、ｃａｔｌｉｇｈｔ（東海染工株式会社の商品）などの素材を用いることができるし、この素材を複数枚積層してもよいし、他の素材が混ぜられてもよい。
【００１４】
消臭層２の素材は、他の消臭、分解作用のある素材、例えば、二酸化チタン、ＣｄＳ、ＣｄＳｅ、ＷＯ３、Ｆｅ２Ｏ３、ＳｒＴｉＯ３、ＫＮｂＯを含む素材、シャインアップ（株式会社クラレの登録商標、繊維、布、綿）、ディスメル（東洋紡績株式会社の登録商標、東洋紡績株式会社の商品）、エピコモド（東洋紡績株式会社の登録商標、東洋紡績株式会社の商品）等が使用されてもよい。
【００１５】
他に、消臭層２の素材としては、バンブー繊維、「サニター３０」（株式会社クラレの製品）、キチキトサン繊維、繊維にカキタンニンを含むまたは、付着された布、その他、消臭機能のある繊維、布などでもよい。
【００１６】
上記加温層３の素材としては、接触する人体に対して遠赤外線を照射して加温する構造、または人体から発した熱を逃がさない構造となっており、例えば、繊維自体の練り込まれた特殊セラッミクスから放出される遠赤外線が体を温かく包み込む、布、糸、繊維、綿などからなっている。
【００１７】
繊維外層部に集中して練り込まれた特殊セラミックスが人体から出る遠赤外線を吸収して、再放出するため、蓄熱の保温性に優れている。このような加温機能は繰り返し洗濯しても効果は低下せず、耐久性に優れ、この加温層３の素材としては、例えば、ウォーマル（登録商標）などの素材を用いることができるし、この素材を複数枚積層してもよいし、他の素材が混ぜられてもよい。
【００１８】
この加温層３の素材としては、他に、「ロンウェーブ」（株式会社クラレの登録商標、株式会社クラレの商品）、羊毛ゼオライト、溶岩シーツ（おとぎの国）、トルマリン粒子が付着した布またはバイネストセラなどが用いられてもよい。また「羊毛ゼオライト」、「バイネストセラ」は、天然鉱石であるゼオライトを加工したセラミックスとその微粒子を羊毛などの天然繊維の表面に堅牢に付着させたものでもよい。
【００１９】
この加温層３には、消臭（防臭）、殺菌（抗菌）、防ダニの効果を有する、布、糸、繊維、綿などが場合によって混ぜられる。このような布、素材としては、例えばマイティトップ（帝人株式会社登録商標）IIECOを用いることができ、このような素材は、ダニに高い忌避効果を発揮し、ダニを寄せにくく、さらに細菌の増殖を抑制し、防臭機能を発揮する。
【００２０】
上記マイティトップは、経口毒性試験、変異原性試験、皮膚刺激性試験などの各種試験で安全性を示している。このマイティトップの混合割合は、５０％であるが、５０％を越えてもよいし、５０％未満でもよいし、無くてもよい。このマイティトップの一部または全部の代わりに、上記消臭層２の素材に用いられる各種素材のいずれが用いられてもよい。
【００２１】
上記消臭層２には、上記加温層３の素材に用いられる各種素材のいずれが混ぜられてもよい。上記布団１の人体側には加温層３があるので人体がよく温められ、人体からの遠赤外線を吸収して、再放出する、蓄熱の保温性をよりよく発揮できる。布団１の表面、上面側には、消臭層２があるので、布団１から外気に達するときに消臭機能を最も発揮でき、また光が当たるので光触媒機能がより良く発揮できる。
【００２２】
このような加温層３の下側のほぼ全面には、薄いバンブー繊維の布の素材がカバー布４として取り付けられている。このカバー布４のバンブー繊維は、抗菌性、消臭性、吸湿性にすぐれた素材で、静電気が生じにくく、表面に光沢があり、染色性、発色性にも優れている。
【００２３】
そして、このカバー布４の表面には熱転写プリントにより鮮やかに図柄を描くことができ、また、肌触りもよいため、肌に触れる抱き枕８の表面を覆う生地として使用することができる。これにより、抱き枕８を長期に渡って衛生的に使用することができ、臭いが付着することもない。このカバー布４は無くてもよい。
【００２４】
上記消臭層２のうち収納部５の反対側付近の首側の縁部のみ加温層３とし、袋状連結部１１も加温層３としてもよい。これにより、抱き枕８の図３の裏側、袋状連結部１１、枕１４のほぼ全面も遠赤外線を発生して加温できる。
【００２５】
（２）収納部５
図２は収納部５を示す。上記布団１の縁、前縁に沿って袋布６がポケット状または袋状となるように取り付けられていて、収納部５が形成されている。この袋布６は、内側と外側の二枚の同形同大の布からなり、布団１の縁、前縁に沿って長方形状で、両短辺と前縁の長辺とで互いに縫合され、二枚の袋布６どうし、及び上記加温層３、場合によって上記消臭層２までが周縁で縫合されている。
【００２６】
このため袋布６は縁部と反対側が開口されて開口部７となっており、ポケット状または袋状となっており、上記カバー布４は省略されているが、あってもよい。この袋布６の素材として、上記ロンウェーブが用いられ、遠赤外線を発する。袋布６の素材として、上記加温層３と同じ素材が用いられても良いし、上記消臭層２と同じ素材が用いられても良いし、内側の袋布６、図１において上側は省略されてもよい。
【００２７】
この袋状の袋布６の中には、折り畳んだ上記布団１が長尺状に収納され、図３に示すように、抱き枕８として使用される。この布団１の折り畳み方向は、消臭層２を外側、表側として折り畳まれるが、遠赤外線を発する二枚の袋布６内に収納されるので、抱き枕８の表面からは遠赤外線が発し、抱き枕８を温かく抱くことができる。
【００２８】
上記開口部７の内側の外側の袋布６内の縁には、面ファスナー９…が取り付けられている。また、布団１の外面の上記面ファスナー９…に対応する位置、つまり袋布６の外側の縁に対応する位置にもファスナー９…が設けられている。
【００２９】
図２、図３に示すように、これら面ファスナー９…、９…の間を、折り畳んだ布団１を通して、開口部７を閉じて収納部５を閉塞できるようになっている。この面ファスナー９…は省略されてもよい。上記収納部５は、面ファスナー９…を互いに外して、布団１の縁に沿って、収納部５を一方の面、すなわち加温層３の側から、他方の面、すなわち消臭層２の側に折り返して裏返すことができる。
【００３０】
この状態で、布団１を折り畳んで収納部５に長尺状に収納すると、袋布６（加温層３）が表側、外側になる。したがって、抱き枕８の表面からは袋布６（加温層３）からの遠赤外線が発する。この場合、収納部５の袋布６は、何の機能もなくてもよく、網状で袋布６の下の加温層３が露出してもよく、抱き枕８を温かく抱くことができる。この長尺状の反対側、図２の下側は消臭層２となって消臭機能を発揮する。場合によって消臭機能に冷却機能を付加して、夏などには抱き枕８で冷却効果を発揮してもよい。
【００３１】
上記折り返された収納部５を元に戻して、消臭層２を表側、外側にして布団１を折り畳んで収納部５に収納できる。これにより、網状の袋布６を経て、消臭層２が露出し、抱き枕８を抱くと消臭できる。
【００３２】
面ファスナー９…に対応する布団１の開口部７の内側にも面ファスナー９…が設けられてもよく、また収納部５の開口部７の外側つまり袋布６の縁の外側にも面ファスナー９…が設けられてもよく、収納部５を折り返して裏返した時にも、開口部７を閉じて収納部５を閉塞できる。
【００３３】
元の状態の収納部５の上記袋布６の外側は上記消臭層２と同じ布、袋布６の内側は上記加温層３と同じ布の二層からなっていてもよい。布団１を折り返して裏返した時、布団１も収納部５も加温層３にでき、元に戻すと、布団１も収納部５も消臭層２にでき、相乗効果を発揮できる。この場合、収納部５の加温層３と消臭層２とを入れ換えてもよい。
【００３４】
上記布団１の折り畳み方は、収納部５を折り返して裏返した時には、消臭層２を内側、加温層３を外側にしてロール状、渦巻き状に折り畳み、収納部５を元に戻した時には、加温層３を内側、消臭層２を外側にしてロール状、渦巻き状に折り畳む。
【００３５】
しかし、いずれの場合にも、ロール状、渦巻き状ではなく、ジグザグ状に折り畳んでもよく、折り畳む布団１の末端が、収納部５の外側と一致するように折り畳んでもよい。収納部５には、開口部７から、手や足などを入れることができる。これにより、手または足を温めることができるか、または消臭機能をはっきできる。
【００３６】
この場合、収納部５は首側から足側になるように、布団１の向きが変えられる。また、収納部５を人体の右側または左側になるように、布団１の向きが変えられてもよい。収納部５は、加温層３側と消臭層２側との両側２か所に設けられてもよい。
【００３７】
この場合、加温層３側の収納部５の布は加温層３と同じ布となるが消臭層２と同じ布、その他の布となってもよく、消臭層２側の収納部５の布は消臭層２と同じ布となるが加温層３と同じ布、その他の布となってもよい。加温層３側の収納部５と消臭層２側の収納部５とは、同じ対応位置に設けられていたが、異なる対応しない位置に設けられてもよい。
【００３８】
（３）袋状連結部１１
図４は袋状連結部１１を示す。上記布団１の上面の、当該布団１が掛けられる人の首側の縁の、当該人の仰向けの状態の左手側にやや寄った位置には、袋状連結部１１が設けられている。この袋状連結部１１は方形状で、左方の側縁は縫合されず、開口部１２となっており、他の３辺は布団１上面に縫合されていて、ポケット状になっている。
【００３９】
この袋状連結部１１の長さ／深さは、布団１の幅の１／２乃至１／５、例えば１／３ほどであり、袋状連結部１１の幅は、上記収納部５の深さ／幅にほぼ一致している。これにより、上記長尺状に折り畳まれた上記布団１の一端は、この袋状連結部１１内に挿入、収納可能となっている。
【００４０】
一方、袋状連結部１１の開口部１２は、上記長尺状に折り畳まれた上記布団１の他端付近に設けられている。したがって、袋状連結部１１は、長尺状に折り畳まれた布団１の一端とこの一端以外の端の他端とを連結する。この連結によって、布団１は環状となり、図５に示すように、この連結された布団１は枕１４として使用可能となる。
【００４１】
このとき、机などの上に環状の布団１を置き、当該環状の布団１の環の中に両手または片手を入れて、または入れないで、環状の布団１の上に頭を乗せて、昼寝、午睡を取ることもできる。また、就寝時の通常の枕１４としても使用できる。なお、この環状の布団１の環の中に頭を入れてもよい。
【００４２】
上記袋状連結部１１は、布団１の中央付近に設けられてもよいし、布団１の左端に設けられてもよいし、右端つまり他端に設けられてもよいし、中央から右手側つまり他端にやや寄った位置に設けられてもよいし、中央から左手側にやや寄った位置に設けられてもよい。この場合、布団１の上側の収納部５は、袋状連結部１１とは異なる足側の縁に沿った位置に設けられてもよい。
【００４３】
また、布団１の上側の収納部５は省略されて、袋状連結部１１は、布団１の足側、左右の側縁側、布団１の中央部などに設けられてもよい。さらに、袋状連結部１１は、布団１の下面側の首側、足側、左右の縁側、中央部などに設けられてよい。
【００４４】
上述において、上記袋状連結部１１は、長尺状に折り畳まれた上記布団１の端から内側の位置に設けられてもよく、長尺状に折り畳まれた上記布団１の一端または他端が、長尺状に折り畳まれた上記布団１の端から内側の位置に位置することになる。これにより、布団１をより細かく折ることができ、布団１を枕１４として最適に折ることができ、折られた布団１が容易に展開されない。
【００４５】
袋状連結部１１は、袋状のほか、この袋状の底縁が縫合されず、底も開口していて帯状になっていてもよく、この帯状になった袋状連結部１１内に、長尺状に折り畳まれた布団１の一端または他端が挿通、収納されて、長尺状に折り畳まれた布団１の一端と他端とが連結される。袋状連結部１１が、帯状になると、帯状の袋状連結部１１への挿通量を任意に変更できるので、上記一端と他端との連結箇所を任意に変更できる。
【００４６】
上記袋状連結部１１の開口部１２の開口方向は、布団１の側方であり、上記収納部５の開口部７の開口方向は、布団１の下方／足方向であり、両開口方向はほぼ９０度ずれている。これにより、布団１を長尺状に折り畳む方向と布団１の一端と他端と連結する方向とをほぼ９０度ずらすことができて、長尺状に折り畳むことと、一端と他端と連結することとを、互いに独立させて、両者が重複したりして支障が生じてしまうことがなくなる。
【００４７】
抱き枕８の図３の裏側、袋状連結部１１、枕１４のほぼ全面は、消臭層２となる。これにより消臭効果を発揮できる。消臭層２のうち袋状連結部１１付近の首側の縁部のみ加温層３とし、袋状連結部１１も加温層３としてもよい。これにより、抱き枕８の図３の裏側、袋状連結部１１、枕１４のほぼ全面も遠赤外線を発生して加温できる。
【００４８】
袋状連結部１１及びこの付近の縁部であって、収納部５の反対側の布団１の縁部は、消臭層２ではなく、加温層３の素材で構成されてもよい。これにより、図３の下面も加温層３となり、抱き枕８の両側も、枕１４全体も遠赤外線を発して加温効果を発揮できる。
【００４９】
(４)他の実施の形態
本発明は、上記実施形態に限定されず、種々変更可能である。例えば、本発明の寝具は、掛布団ではなく、敷き布団としても、使用可能である。この場合、布団１は、人体の下に敷かれる。布団１は、上下反転させて、人体に消臭層２が接してもよい。
【００５０】
収納部５、袋布６、袋状連結部１１の形状はポケット状、袋状のほか、帯状、複数のバンド状、箱状、直方体、立方体、円柱、楕円柱、角柱、半円柱、半楕円柱、半角柱、円錐台、角錐台、球、卵形、半球、半卵形、多面体、ひょうたん形、その他の立体形状、これらの組み合わせ複合立体形状、角張った段差のある形状、丸みを帯びた段差のある形状、丸みを帯びた凹凸のある形状、これらの組み合わせ形状、網状、多数の穴があいたもの、これらの中央等に穴があいたもの、これらの複合形などでもよい。
【００５１】
布団１、消臭層２、加温層３、カバー布４、袋布６、袋状連結部１１の形状は、平坦な方形状のほか、立体的、帯状、複数のバンド状、箱状、直方体、立方体、円柱、楕円柱、角柱、半円柱、半楕円柱、半角柱、円錐台、角錐台、球、卵形、半球、半卵形、多面体、ひょうたん形、その他の立体形状、これらの組み合わせ複合立体形状、角張った段差のある形状、丸みを帯びた段差のある形状、丸みを帯びた凹凸のある形状、これらの組み合わせ形状、網状、多数の穴があいたもの、これらの中央等に穴があいたもの、これらの複合形などでもよい
【００５２】
上記消臭層２と加温層３とは、同形同大であったが、一方が他方より大きくてもよいし、小さくてもよい。カバー布４、内側の袋布６のみ、省略されてもよい。収納部５、袋布６、袋状連結部１１は、布団１より小さいが、同大、同形でもよいし、大きくてもよい。
【００５３】
収納部５、袋状連結部１１は、布団１の首側の縁以外に、中央部、足側の縁、側方の縁、これらの中間位置、消臭層２または加温層３の中央部など、布団１のどこに設けられてよい。収納部５と袋状連結部１１とは布団１の同じ側に設けられてもよく、収納部５の外面または内面に袋状連結部１１が設けられてもよいし、袋状連結部１１の外面または内面に収納部５が設けられてもよい。この場合でも、収納部５、袋状連結部１１は、布団１の表裏にわたって反転できる。
【００５４】
上記布団１は、抱き枕、枕、掛布団、敷布団のほか、寝袋、座布団、毛布、マットレス、枕カバー、布団カバー、寝間着型布団、寝間着、丹前等に変更でき、夜具、寝具であればなんでも応用できる。また、大きさ、形状は、それぞれの寝具の機能を発揮できるものであれば、どんな大きさ、形状であってもよい。
【００５５】
上記抱き枕８は、方形であるが、ふくろう、鳥類、他の動物、植物、生物、器物等を模した形状でも、単なる円柱形、楕円柱形、三日月形、球形、かまぼこ型、扁平型、円錐形、直方体、多角錐形、鼓型、中空形等でもよく、抱き枕８として使用可能な形状であればどんな形状でもよい。
【００５６】
抱き枕８の片方の表面には、ふくろう、鳥類、他の動物、植物、生物、器物の図柄が熱転写でプリントされていてもよいし、インクジェット等によるプリント、染色、刺しゅうなど、他のどのような手法によって図柄・模様が形成されてもよいし、他のどんな図柄でもよい。また、図柄が全くない無地のものでもよい。
【００５７】
また、消臭層２には、光触媒加工された、抗菌、消臭作用のある素材、例えば、光触媒加工された、抗菌、消臭作用のある素材、臭い菌の殺菌作用、例えば、二酸化チタン、ＣｄＳ、ＣｄＳｅ、ＷＯ３、Ｆｅ２Ｏ３、ＳｒＴｉＯ３、ＫＮｂＯを含む素材、竹素材を加工したバンブー繊維、シャインアップ（繊維、布、綿、株式会社クラレの製品）、ディスメル（東洋紡績株式会社の商品）、エピコモド（東洋紡績株式会社の登録商標、東洋紡績株式会社の商品）、キチンキトサン繊維、「サニター３０」、繊維にカキタンニンを含むまたは付着された繊維、これらの混合物等、消臭効果、保温効果、抗菌効果、乾燥効果、吸湿効果を奏する材質なら何でもよい。
【００５８】
加温層３の加温素材としては、遠赤外線を発する素材のほか、補充交換できる粉末鉄のように発熱効果のあるもの、ロンウェーブ、羊毛ゼオライト、溶岩シーツ（おとぎの国）、ヤンロン加工布、トルマリン粒子が付着した布またはバイネストセラなどを用いてもよい。「羊毛ゼオライト」、「バイネストセラ」は、天然鉱石であるゼオライトを加工したセラミックスとその微粒子を羊毛などの天然繊維の表面に堅牢に付着させたもの、これらの混合物でもよい。
【００５９】
布団１には、発音手段や、香りを発する手段を収納させてもよいし、表面に香りをつけてもよい。たとえば、安眠効果があるとされるラベンダー、スィートオレンジなどのアロマを含ませたハンカチ、布等を布団１に収納すれば、さらに安眠効果を高めることができる。
【００６０】
本布団１の積層構造は、上記各図で示した構造のそれぞれの一部または全体はなくてもよいし、任意の１つまたは２つ以上の層が他の1つまたは２つの層と入れ替わってもよく、他の層がさらに付加、積層、混合されていてもよい。本布団１に用いられる布は、合成繊維、再生繊維、半合成繊維、天然繊維、人工繊維、化学繊維でもよいし、ゴム、不燃・難燃繊維：ガラス繊維、金属繊維、セラミック繊維、火山岩繊維、岩石繊維等、不燃性または難燃性の繊維で折られた布または不織布、これらの混合物でもよい。
【００６１】
また、布団１、消臭層２、加温層３、カバー布４、収納部５、袋布６、抱き枕８、袋状連結部１１、は、クッションと同じ構造作用を持たせて、クッション性が無くてもまたはあってもよく、ポリウレタン以外の低反発の素材、高反発の素材を収納してもよいし、ビーズ以外に綿、蕎麦殻、スポンジ、パンヤ、これらの混合物等、通常寝具の内容物として使用するものまたはクッション性を有するものならば、なんでもよい。
【００６２】
また、面ファスナー９…、収納部５、袋状連結部１１は、面ファスナー、袋状の収納部のほか、線ファスナー、面ファスナー、スナップボタン、ボタンとボタンホール、フックとホック、紐、磁石、上記寝具を外側から拘束する通気性の高いカバーまたはバンド等なんでもよいし、折り曲げられた寝具の端から端まで連結するものでも、一部のみを連結するものでもよい。この場合、このようなフックとホックなどは、布団１全体に点在してもよい。また、面ファスナー９…、収納部５、袋状連結部１１はなくてもよい。
【００６３】
収納部５の開口部７の開口方向と、袋状連結部１１の開口部１２の開口方向とは、ほぼ１８０度ずれていて相反する方向でもよいし、ほぼ同じ方向でもよいし、その他の方向でもよい。収納部５（開口部７）、袋状連結部１１（開口部１２）は、固定されたもののほか、布団１上を移動できてもよい。
【００６４】
布団１、消臭層２、加温層３、カバー布４、収納部５、袋布６、開口部７、抱き枕８、面ファスナー９…、袋状連結部１１、開口部１２の全体が繋がっているもののほか、これらの各層が薄くなったり、各層の一部が省略されたりして厚みが薄くなっていてもよいし、途中で完全に分離分断されて、縫合、面ファスナー、線ファスナー、スナップボタン、ボタンとボタンホール、フックとホック、紐、磁石で連結されていてもよいし、これに応じて布団１、消臭層２、加温層３、カバー布４、収納部５、袋布６、開口部７、抱き枕８、面ファスナー９…、袋状連結部１１、開口部１２の数はいくつになってもよい。
【００６５】
上記カバー布４、収納部５、袋布６、袋状連結部１１は、網状で、すぐ下の布などが露出していてもよく、すぐ下の布などによる消臭作用、または加温作用が発揮される。また、消臭層２の上には、カバー布４、収納部５、袋布６などが積層されてもよいし、加温層３の下に収納部５、袋布６、袋状連結部１１などが積層されてもよい。
【００６６】
上記消臭層２に使われる素材は、上述した素材が複数混合されてもよいし、上記加温層３に使われる素材は、上述した素材が複数混合されてもよいし、消臭層２には加温層３の素材が混合されてもよいし、加温層３には消臭層２の素材が混合されてもよい。
【００６７】
布団１、その中の綿、消臭層２、加温層３、カバー布４、収納部５、袋布６、開口部７、抱き枕８、面ファスナー９…、袋状連結部１１、開口部１２のそれぞれの一部または全体はなくてもよいし、その数は増えても減ってもよいし、その形状は任意に変更可能であり、均等の他のものに置き換えられてもよいし、これらの２つまたは３つ以上が合体または一体化されて兼用されていてもよい。
【００６８】
（５）他の発明の効果
［１］人体の上に掛けられる、または人体の下に敷かれる布団と、  この布団の一方の面に取り付けられた、人体に対して加温作用のある素材からなる加温層と、  この加温層とは反対側で、上記布団の他方の面に取り付けられた、消臭作用のある素材からなる消臭層と、  上記布団の縁に沿って設けられ、袋状で、この袋状の中に折り畳んだ上記布団が収納される収納部とを備えた寝具。
【００６９】
これにより、収納部に折り畳んだ布団を収納して、布団を長尺状にでき、抱き枕として使用できるし、さらに折り畳んで枕としても使用できる。
【００７０】
［２］上記収納部は、上記布団の縁に沿って、布団の上記一方の面と他方の面との間で裏返したり戻したりすることができ、  上記加温層を表側にして折り畳んで収納部に収納できるし、上記収納部を裏返すまたは戻して、上記消臭層を表側にして折り畳んで収納部に収納できることを特徴とする請求項１記載の寝具。
【００７１】
これにより、布団の消臭層を露出するように折り畳んで収納部に収納したり、布団の加温層を露出するように折り畳んで収納部に収納したりでき、抱き枕を消臭層の発揮できる抱き枕としたり、抱き枕を加温層の発揮できる抱き枕としたりできる。
【００７２】
［３］上記布団の折り畳み及び上記収納部への収納によって、上記布団は長尺状となり、抱き枕として使用可能であることを特徴とする請求項２記載の寝具。  これにより、布団を抱き枕に最適な形状、大きさにできる。
【００７３】
［４］上記長尺状に折り畳まれた上記布団は、当該長尺状の一端とこの一端以外の端の他端とを連結する連結部を備え、この連結部の連結によって、上記布団は枕として使用可能であることを特徴とする請求項３記載の寝具。  これにより、布団を枕に転用でき、連結しているので、容易に展開されず、連結した状態が維持される。
【００７４】
［５］上記一端または他端は、上記長尺状に折り畳まれた上記布団の端から内側の位置にあることを特徴とする請求項４記載の寝具。  これにより、布団１をより細かく折ることができ、最適の位置で折ることができ、布団１を枕として最適に折ることができ、折られた布団１が容易に展開されない。
【００７５】
［６］上記連結部は、袋状または帯状で、この袋状または帯状の中に、上記長尺状の一端または他端が収納されることによって、上記折り畳まれた布団の一端と他端との連結が可能であり、  上記布団の収納部の開口部の開口方向と、上記折り畳まれた布団の一端と他端とを連結するための袋状または帯状の連結部の開口部の開口方向とは、ほぼ９０度ずれていることを特徴とする請求項４記載の寝具。
【００７６】
これにより、布団を長尺状に折り畳む方向と布団の一端と他端と連結する方向とをほぼ９０度ずらすことができて、長尺状に折り畳むことと、一端と他端と連結することとを、互いに独立させて、両者が重複したりして支障が生じてしまうことがなくなる。
【産業上の利用可能性】
【００７７】
本発明の寝具は、布団を抱き枕８や枕１４として転用できる。一面に加温層３と他面に消臭層２を備えた布団につき、折り畳んで収納部５内に収納して、長尺状にして抱き枕８にできる。収納部５の袋布６は遠赤外線を発するので、抱き枕８は温かくなる。この袋布６が網状であれば消臭層２が露出するので消臭できる。
【００７８】
収納部５を消臭層２に反転させて布団１を折り畳むと加温層３が露出するほか収納部５の袋布６によって遠赤外線を発する。長尺状の布団１の一端または他端を袋状連結部１１に収納させて連結して環状にすると枕１４にできる。この枕１４は加温層３を露出させて加温したり、消臭層２を露出させて消臭したりできる。
【図１】
2018191750.tif 000003
【図２】
2018191750.tif 000004
【図３】
2018191750.tif 000005
【図４】
2018191750.tif 000006
【図５】
2018191750.tif 000007